(57)【要約】      （修正有）【課題】プランターのパネルへの固定がより安定している上に給水の利便性が向上した緑化壁構造体を提供する。【解決手段】前面２２１と背面を有し前面２２１に複数のプランター掛止溝２２５が設けられている直立板２０を有するパネルユニット２と、植栽空間４１４を内に有するプランター本体部４１と、プランター本体部４１に一体に突設されており直立板２０のいずれかのプランター掛止溝２２５に掛けられる掛止部４１２とを有する複数のプランターユニット４とを具えている。パネルユニット２には、給水源に接続される給水主管２５１と、給水主管２５１と連結されている給水支管２５０とを有する給水ユニット２５が設けられており、給水支管２５０は、各植栽空間４１４に給水できるようにそれぞれ直立板２０の前面２２１に延伸する複数の出水管２５４を有している。【選択図】図４
0003187481.tif 000002
【実用新案登録請求の範囲】
【請求項１】
前後方向に前面および背面を有し該前面に複数のプランター掛止溝が設けられている直立板を有するパネルユニットと、
植栽空間を内に有するプランター本体部と、該プランター本体部に一体に突設されており前記直立板のいずれかの前記プランター掛止溝に係脱自在に掛けられる掛止部とを有する複数のプランターユニットと、
を具えており、
前記パネルユニットには、給水源に接続される給水主管と、前記給水主管と連結されている給水支管とを有する給水ユニットが設けられており、前記給水支管は、各前記プランター本体部の前記植栽空間に給水できるようにそれぞれ前記直立板の前記前面に延伸する複数の出水管を有していることを特徴とする緑化壁構造体。
【請求項２】
前記プランター本体部には、前記植栽空間と外部を連通する排水孔が穿設されており、
前記パネルユニットには更に、前記排水孔からの排水を回収する排水ユニットが設けられており、前記排水ユニットは、前記排水を受けるように上方に開口する水受け空間を画成すると共に前記直立板に掛けられている樋状部材を有する
ことを特徴とする請求項１に記載の緑化壁構造体。
【請求項３】
前記給水支管は、前記給水主管に連結されていると共に係止部材によって前記直立板に固定されている少なくとも１本の分岐管を有しており、各前記出水管は該分岐管から分岐しており、
前記直立板には、前記樋状部材が掛止される樋掛止溝が設けられている
ことを特徴とする請求項２に記載の緑化壁構造体。
【請求項４】
前記樋状部材は、前記直立板の前記背面に掛けられており、
前記プランターユニットは、前記排水孔に連結されていると共に前記排水孔からの排水を前記樋状部材の前記水受け空間に導く排水パイプを更に有している
ことを特徴とする請求項２または請求項３に記載の緑化壁構造体。
【請求項５】
前記プランター本体部は、前記排水孔が設けられている底壁と、該底壁の周縁から立ち上がるように形成された周壁と、前記直立板に近い側から遠い側に向かって次第に低くなるよう傾斜して前記底壁の上に設けられており且つ上方で前記周壁と共に前記植栽空間を、下方で前記周壁と前記底壁と共に一時滞水空間を画成する傾斜板とを有しており、該傾斜板には、前記一時滞水空間を介して前記排水孔と連通する複数の通水孔が穿設されている
ことを特徴とする請求項２または請求項３に記載の緑化壁構造体。
【請求項６】
前記給水ユニットは、前記給水主管を４本有していると共に、該４本の給水主管が前記直立板の前記背面において十字継手により十字状に連結されており、
前記給水支管は、いずれかの前記給水主管に連結されていると共に前記直立板の前記背面に設置されている少なくとも１本の分岐管を有しており、各前記出水管は該分岐管から延伸している
ことを特徴とする請求項1または請求項２に記載の緑化壁構造体。
【請求項７】
前記パネルユニットを複数有しており、隣り合う前記パネルユニットの前記給水主管同士が継手により連結されている
ことを特徴とする請求項６に記載の緑化壁構造体。
【請求項８】
更に、前記パネルユニットがそれらの間に架設されるように上下方向に延伸して形成された２個の支柱を有する支柱ユニットを具えており、
前記パネルユニットの前記直立板は、前記前後方向と交差する左右方向両端にそれぞれ前記左右方向外側に突き出る連結突起が設けられており、
各前記支柱は、それぞれ前記直立板の前記連結突起のいずれかに挿入される連結溝が設けられている
ことを特徴とする請求項１〜７のいずれか一項に記載の緑化壁構造体。
【請求項９】
前記パネルユニットは、ｎ個（ｎは２以上の整数）の前記直立板を有しており、
前記支柱ユニットは、ｎ＋１個の前記支柱を有しており、
各前記支柱は、それぞれ前記連結溝が前記左右方向両端に１つずつ設けられており、
前記直立板の各前記連結突起が、対応する前記支柱のいずれかの前記連結溝に挿入されて各前記直立板が前記左右方向に連なるように連結されている
ことを特徴とする請求項８に記載の緑化壁構造体。
【請求項１０】
前記パネルユニットは、ｎ個（ｎは２以上の整数）の前記直立板を有しており、
前記支柱ユニットは、ｎ対の前記支柱と、前記ｎ対の支柱のうちの１対と他の１対の前記上下方向における一端同士を連結するｎ個の連結部材とを有しており、
前記直立板の各前記連結突起が、対応する前記支柱のいずれかの前記連結溝に挿入されると共に、前記支柱が前記連結部材により連結されて各前記直立板が前記上下方向に連なるように連結されている
ことを特徴とする請求項８に記載の緑化壁構造体。
【考案の詳細な説明】
【技術分野】
【０００１】
本考案は緑化壁構造体に関し、より詳しくは植物を立壁上に植栽する構造体に関するものである。
【背景技術】
【０００２】
従来の緑化壁構造体としては、例えば特許文献１に挙げられているものがある。図１および図２に示されているように、この従来の緑化壁構造体は、例えば建造物の壁面や道路の法面（図示しない）に掛けることができるパネル１０と、パネル１０に掛けられる複数のプランター１１とから構成されている。パネル１０には、複数のそれぞれ矩形の掛止孔１０１が格子状に排列されている。プランター１１は、排水孔が設けられた底壁（図示しない）と、底壁の周縁から立ち上がるように形成された周壁１１１を有しており、周壁１１１にフック１１３がねじ１１２にて固定されている。フック１１３をいずれかの掛止孔１０１に引っ掛けることでプランター１１をパネル１０に掛けることができる。
【先行技術文献】
【特許文献】
【０００３】
【特許文献１】台湾登録実用新案第Ｍ４０４５９３号明細書
【考案の概要】
【考案が解決しようとする課題】
【０００４】
しかしながら、上記従来の緑化壁構造体では、フック１１３がプランター１１にねじ止めされているので、植栽されたプランター１１をパネル１０に掛けると、植栽に用いる土壌の重量やプランター１１自身の重量による応力がねじ止め箇所に集中してしまい、ねじ止め箇所が破損しやすく、プランター１１のパネル１０への固定が不安定になるという問題点がある。
【０００５】
また、プランター１１に植栽された植物に潅水する必要があるが、上記従来の緑化壁構造体では、給水具を用いて複数のプランター１１のそれぞれに給水しなくてはならず、しかも給水量が多いとプランター１１内の土壌を通過した水がプランター１１の底壁に設けられた排水孔から滴り落ちて、周囲の環境に悪影響を与えるといった問題点もある。
【０００６】
本考案は、上記従来技術の各問題点に鑑みてなされたものであり、その目的は、プランターのパネルへの固定がより安定している上に、給水の利便性が向上した緑化壁構造体の提供にある。
【課題を解決するための手段】
【０００７】
上記目的を達成するための手段として、本考案は、以下の手段を提供する。
【０００８】
即ち、水平方向の前後方向に前面および背面を有し該前面に複数のプランター掛止溝が設けられている直立板を有するパネルユニットと；植栽空間を内に有するプランター本体部と、該プランター本体部に一体に突設されており前記直立板のいずれかの前記プランター掛止溝に係脱自在に掛けられる掛止部とを有する複数のプランターユニットと；を具えており、前記パネルユニットには、例えば上水道などの給水源に接続される給水主管と、前記給水主管と連結されている給水支管とを有する給水ユニットが設けられており、前記給水支管は、各前記プランター本体部の前記植栽空間に給水できるようにそれぞれ前記直立板の前記前面に延伸する複数の出水管を有していることを特徴とする緑化壁構造体を提供する。
【０００９】
上記緑化壁構造体においては、前記プランター本体部に、前記植栽空間と外部を連通する排水孔が穿設されており、前記パネルユニットに更に、前記排水孔からの排水を回収する排水ユニットが設けられており、前記排水ユニットは、前記排水を受けるように上方に開口する水受け空間を画成すると共に前記直立板に掛けられている樋状部材を有することが好ましい。
【００１０】
また、前記給水支管は、前記給水主管に連結されていると共に係止部材によって前記直立板に固定されている少なくとも１本の分岐管を有しており、各前記出水管は該分岐管から分岐しており、前記直立板には、前記樋状部材が掛止される樋掛止溝が設けられていることが好ましい。
【００１１】
また、前記樋状部材は、前記直立板の前記背面に掛けられ、前記プランターユニットは、前記排水孔に連結されていると共に前記排水孔からの排水を前記樋状部材の前記水受け空間に導く排水パイプを更に有するように構成することも可能である。
【００１２】
なお、前記プランター本体部は、前記排水孔が設けられている底壁と、該底壁の周縁から立ち上がるように形成された周壁と、前記直立板に近い側から遠い側に向かって次第に低くなるように傾斜して前記底壁の上に設けられており且つ上方で前記周壁と共に前記植栽空間を、下方で前記周壁と前記底壁と共に一時滞水空間を画成する傾斜板とを有しており、該傾斜板には、前記一時滞水空間を介して前記排水孔と連通する複数の通水孔が穿設されていることが好ましい。
【００１３】
また、前記給水ユニットは、前記給水主管を４本有していると共に、該４本の給水主管が前記直立板の前記背面において十字継手により十字状に連結されており、前記給水支管は、いずれかの前記給水主管に連結されていると共に前記直立板の前記背面に設置されている少なくとも１本の分岐管を有しており、各前記出水管は該分岐管から延伸するように構成することも可能である。
【００１４】
また、前記パネルユニットを複数有しており、隣り合う前記パネルユニットの前記給水主管同士が継手により連結されるように構成することも可能である。
【００１５】
更に、前記パネルユニットがそれらの間に架設されるように上下方向に延伸して形成された２個の支柱を有する支柱ユニットを具えており、前記パネルユニットの前記直立板は、前記前後方向と交差する左右方向両端にそれぞれ前記左右方向外側に突き出る連結突起が設けられており、各前記支柱は、それぞれ前記直立板の前記連結突起のいずれかに挿入される連結溝が設けられていることが好ましい。
【００１６】
上記支柱を具えた緑化壁構造体においては、前記パネルユニットがｎ個（ｎは２以上の整数）の前記直立板を有しており、前記支柱ユニットがｎ＋１個の前記支柱を有しており、各前記支柱において前記連結溝が前記左右方向両端に１つずつ設けられており、前記直立板の各前記連結突起が、対応する前記支柱のいずれかの前記連結溝に挿入されて各前記直立板が前記左右方向に連なるように連結されるように構成することも可能である。
また、上記支柱を具えた緑化壁構造体においては、前記パネルユニットがｎ個（ｎは２以上の整数）の前記直立板を有しており、前記支柱ユニットが、ｎ対の前記支柱と、前記ｎ対の支柱のうちの１対と他の１対の前記上下方向における一端同士を連結するｎ個の連結部材とを有しており、前記直立板の各前記連結突起が、対応する前記支柱のいずれかの前記連結溝に挿入されると共に、前記支柱が前記連結部材により連結されて各前記直立板が前記上下方向に連なるように連結されるように構成することも可能である。
【考案の効果】
【００１７】
上記手段によれば、プランターユニットをパネルユニットに掛けるための掛止部が、プランター本体部と一体に設けられているので、掛止部とプランター本体部が個別に設けられねじ止めにより固定された構成に比べて、プランターユニットの重量による応力の集中が防がれ、プランターユニットのパネルユニットへの固定が安定している。また、給水ユニットがパネルユニットに設けられていることにより、給水主管に供水するだけで各プランターユニットの植栽空間に給水でき、給水の利便性が向上している。
【図面の簡単な説明】
【００１８】
【図１】従来例の緑化壁構造体を示す斜視図。
【図２】従来例の緑化壁構造体におけるプランターとフックを示す斜視図。
【図３】本考案に係る緑化壁構造体の第１の実施形態を示す斜視図。
【図４】上記第１の実施形態を示す分解斜視図。
【図５】上記第１の実施形態を示す断面図。
【図６】本考案に係る緑化壁構造体の第２の実施形態を示す部分断面図。
【図７】本考案に係る緑化壁構造体の第３の実施形態を示す分解斜視図。
【図８】本考案に係る緑化壁構造体の第４の実施形態を示す分解斜視図。
【図９】本考案に係る緑化壁構造体の第５の実施形態を示す正面図。
【図１０】本考案に係る緑化壁構造体の第６の実施形態を示す正面図。
【図１１】上記第６の実施形態を示す背面図。
【図１２】本考案に係る緑化壁構造体の第７の実施形態を示す分解背面図。
【考案を実施するための形態】
【００１９】
以下、添付図面を参照しながら、本考案の具体的な各実施形態を詳細に説明する。
【００２０】
（第１の実施形態：図３、図４、図５）
本考案に係る緑化壁構造体の第１の実施形態が、図３にて組立斜視図として、図４にて分解斜視図として、図５にて縦断面図として示されている。本実施形態における緑化壁構造体は、概ね、地面に対して直立するように設けられた直立板２０を有するパネルユニット２と、パネルユニット２を架設するための支柱ユニット３と、パネルユニット２に取り外し自在に掛けられるプランターユニット４と、パネルユニット２に設けられている給水ユニット２５および排水ユニット２６とから構成されている。
【００２１】
パネルユニット２の直立板２０は全体がプラスチック材料により板状に一体に成形されたものである。直立板２０は、左右方向両端に位置し支柱ユニット３と連結するための一対の連結部２１、２１と、これら連結部２１、２１の間に位置する掛置部２２とから構成されている。
【００２２】
一対の連結部２１、２１にはそれぞれ左右方向外側に突き出た連結突起２１１が設けられている。
【００２３】
掛置部２２は、前後方向に前面２２１および背面２２２を有していると共に、その上端近くに前面２２１および背面２２２をそれぞれ貫通する２つの掛設孔２２３が設けられている。また前面２２１には、それぞれ左右方向に長い複数のプランター掛止溝２２５、２２５…と、複数の樋掛止溝２２６、２２６…とが設けられている。各プランター掛止溝２２５と、各樋掛止溝２２６とは、それぞれ左右方向に互いに間隔をおいて列状に配置されており、各樋掛止溝２２６は各プランター掛止溝２２５の下方に位置するように、つまり樋掛止溝２２６の列がプランター掛止溝２２５の列よりも下に配置されている。本実施形態においては、各プランター掛止溝２２５と、各樋掛止溝２２６とを互い違いに二列ずつ設けたが、それぞれ更に多く設けてもよい。
【００２４】
プランターユニット４は、図４に特に示されているように、植栽のための土壌などを入れるための植栽空間４１４を内に有するプランター本体部４１と、プランター本体部４１に一体に突設されておりパネルユニット２の直立板２０のいずれか１つのプランター掛止溝２２５に係脱自在に掛けられる掛止部４１２とから成っている。なお、掛止部４１２は、プランター掛止溝２２５と嵌合するために、その左右方向の幅がプランター掛止溝２２５と同じく長く形成されている（図４参照）。
【００２５】
プランター本体部４１は、図５に示されているように、直立板２０に近い側に排水孔４１６が穿設されている底壁４１３と、底壁４１３の周縁から立ち上がるように形成されていると共に掛止部４１２がその上端から逆Ｌ字型に延伸するように設けられている周壁４１５と、直立板２０に近い側から遠い側に向かって次第に低くなるように傾斜してその延伸面が底壁４１３の延伸面と斜めに交差する傾斜板４２とを有している。
【００２６】
傾斜板４２は、複数の通水孔４２１が穿設されていると共にその上方で周壁４１５と共に植栽空間４１４を画成し、またその下方で周壁４１５と底壁４１３と共に一時滞水空間４１７（図５参照）を画成している。植栽空間４１４は通水孔４２１により一時滞水空間４１７と連通し、一時滞水空間４１７は排水孔４１６によりプランター本体部４１の外部に連通している。
【００２７】
給水ユニット２５は、外部の給水源（図示しない）からの水をプランターユニット４の植栽空間４１４に供するためのものであり、本実施形態においては、直立板２０の掛置部２２の前面２２１においていずれかの連結部２１に近い側（図示においては左側）に上下方向に延伸するように設けられていると共に上端に接続具５を有し下端に封止栓６を有する給水主管２５１と、給水主管２５１と連結されている給水支管２５０とを具えている。なお、給水主管２５１の接続具５は外部の給水源に接続するためのものであり、封止栓６は給水主管２５１の下端を封止するためのものである。
【００２８】
給水支管２５０は、それぞれ給水主管２５１から分岐して左右方向に延伸するように形成されており係止部材２５２によって直立板２０の前面２２１に固定されている２本の分岐管２５３と、これら分岐管２５３から更に分岐してそれぞれ直立板２０の前面２２１において各プランターユニット４の植栽空間４１４に入り込むように延伸する複数の出水管２５４、２５４…を有している。
【００２９】
排水ユニット２６は、給水ユニット２５によりプランターユニット４の植栽空間４１４に供された水の排水孔４１６からの排水を回収するためのものであり、本実施形態においては、それぞれ上記排水を受けるように左右方向に延伸して上方に開口する水受け空間２６２を画成すると共にパネルユニット２の直立板２０の前面２２１において２列に配置されている樋掛止溝２２６に列ごとにそれぞれ掛けられている２本の樋状部材２６１と、直立板２０の掛置部２２の前面２２１において給水主管２５１が設けられたのとは反対側の連結部２１に近い側（図示においては右側）に上下方向に延伸するように設けられている排水主管２６３と、桶状部材２６１の水受け空間２６２と排水主管２６３とを連通する排水導管２６５とを具えている。なお、上述のように、各プランターユニット４の排水孔４１６はプランター本体部４１の底壁４１３において直立板２０に近接して設けられているので、樋状部材２６１を樋掛止溝２２６に掛け置くと、水受け空間２６２の上記開口は各プランターユニット４の排水孔４１６の直下に位置するようになる。
【００３０】
支柱ユニット３は、パネルユニット２がそれらの間に架設されるように上下方向に延伸して形成された２個の支柱３１、３１と、これら支柱３１を地面から直立させるように支持するため支柱３１の下端にそれぞれ設けられた脚座３０、３０と、左右方向に延伸して形成された２個の連結板３２、３２と、各連結板３２の左右両端を各支柱３１の上下両端付近にそれぞれ固定するための固定具３３とを具えている。
【００３１】
各支柱３１には、上下方向に延伸する連結溝３１１が左右方向両端に１つずつ設けられている。
【００３２】
パネルユニット２の直立板２０の左右方向両端からそれぞれ突起している連結突起２１１を、各支柱３１の連結溝３１１に嵌め入れると共に、固定具３３により例えばねじ止めで両方の支柱３１を連結固定すると、直立板２０を両方の支柱３１の間に架設することができる。なお、本実施形態に限らず、直立板２０は、上記掛設孔２２３を壁面（図示しない）などに設けられた突起に掛けるようにして直立状に吊設してもよく、この場合、支柱ユニット３は省略可能である。
【００３３】
本実施形態における緑化壁構造体を使用する際には、給水ユニット２５および排水ユニット２６が設けられた直立板２０を掛設孔２２３により壁面（図示しない）などに掛けて吊るすか、あるいは図３〜図５に示されているように支柱ユニット３を用いて架設してもよい。支柱ユニット３を用いる場合は、直立板２０の左右両端に設けられている連結突起２１１をそれぞれ各支柱３１の連結溝３１１に挿入してから、固定具３３により各連結板３２を各支柱３１の上下両端同士を架橋するように各支柱３１に固定することで、パネルユニット２が安定して各支柱３１の間に架設される。また、植栽された各プランターユニット４をそれぞれの掛止部４１２が直立板２０の各プランター掛止溝２２５に引っ掛けることで各プランターユニット４がパネルユニット２に係脱自在に設置される。その後、給水主管２５１の接続部５を外部の給水源に接続することで、水を給水主管２５１、給水支管２５０（各分岐管２５３および各出水管２５４）を通して各プランターユニット４に供することができる。これにより植栽空間４１４への潅水が果たされる。
【００３４】
植栽空間４１４へ供された水は、例えば植栽空間４１４内の土壌に染み込むが、その余剰分は、各プランターユニット４の傾斜板４２の通水孔４２１を通って一時滞水空間４１７に流れ、更に底壁４１３の排水孔４１６からプランターユニット４の外部に排出される。排水孔４１６の下方には樋状部材２６１が設けられているので、排出された水は水受け空間２６２内に落ち、更に排水導管２６５、排水主管２６３を通ってついには排水主管２６３の下端に開口する排出孔から排出される。これにより各プランターユニット４からの排水を一箇所にまとめて排出することができる。また、垂れ流しとならないように排水主管２６３の下端には例えばバケツを置いたり、排水パイプを接続して下水道などに排水してもよい。
【００３５】
以上のように、本実施形態によれば、給水ユニット２５が設けられているので、各プランターユニット４内に植栽される植物への潅水の利便性が向上され、加えて排水ユニット２６も設けられているので、各プランターユニット４からの排水が垂れ流しにならず、排水の利便性も向上される。更に、各プランターユニット４をパネルユニット２に掛け置くにあたっては、左右方向、つまり水平方向に長く且つプランター本体部４１から一体に突起するように形成された掛止部４１２を、直立板２０のプランター掛止溝２２５に嵌め入れることで各プランターユニット４をパネルユニット２に掛け置くことができるので、プランターユニット４の重量を支える箇所の面積が広く、応力の集中が防がれプランターユニット４のパネルユニット２への固定の安定性が向上される。
【００３６】
（第２の実施形態：図６）
本考案に係る緑化壁構造体の第２の実施形態が、図６にて部分断面図として示されている。第２の実施形態は、第１の実施形態に類似するが、プランターユニット４における排水孔４１６の位置、並びに排水ユニット２６の構成が異なっている。以下に詳しく説明する。
【００３７】
本実施形態においては、樋掛止溝２２６が直立板２０の背面２２２側に設けられており、つまりは排水ユニット２６の樋状部材２６１が直立板２０の背面２２２に掛けられている。また、プランターユニット４の排水孔４１６は、プランター本体部４１の周壁４１５における後方下端、つまり底壁４１３と接する箇所の直立板２０に近い側に穿設されている。更に、排水孔４１６には、排水孔４１６からの排水を直立板２０の背面２２２に掛けられている桶状部材２６１の水受け空間２６２に導くように背面２２２に向かって延伸している排水パイプ４３が連結されている。
【００３８】
以上のように構成すれば、本考案に係る緑化壁構造体を正面から見た際に、排水ユニット２６が直立板２０の背面２２２側に隠れて見えないため美観が増す。
【００３９】
（第３の実施形態：図７）
本考案に係る緑化壁構造体の第３の実施形態が、図７にて分解斜視図として示されている。第３の実施形態は、第１の実施形態に類似するが、パネルユニット２を複数（図示においては２つ）具えており、複数のパネルユニット２が上下方向つまり垂直方向に連なるように連結されている。以下に詳しく説明する。
【００４０】
本実施形態においては、支柱ユニット３の各支柱３１の上端面および下端面のそれぞれ中央に連結孔３１２（図示においては上端のものだけを示す）が凹設されている。また、本実施形態における支柱ユニット３は、相反する両端に突起を有しそれら両端突起がそれぞれ支柱３１の連結孔３１２に嵌め入れることができる連結部材３４を更に有している。
【００４１】
以上の構成により、パネルユニット２が間に架設され且つそれぞれ脚座３０を設けた一対の支柱３１、３１と、パネルユニット２が間に架設され且つ脚座３０を設けない他の一対の支柱３１、３１とを、該一対の支柱３１、３１の各上端の連結孔３１２と該他の一対の支柱３１、３１の各下端の連結孔３１２に連結部材３４をそれぞれ嵌め入れることで、上下方向、つまり垂直方向に連結することができる。
【００４２】
本実施形態においては、図７に示されているように、２個の直立板２０、２対の支柱３１、および２個の連結部材３４を用いてこれらを上下方向に組み合わせたが、数量はこれに限らず、例えば３個の直立板２０、３対の支柱３１（最も下端に配置される１対のみに脚座３０を設ける）および３個の連結部材３４を上述のように連結してもよく、要は、ｎ個の直立板２０、ｎ対の支柱３１およびｎ個の連結部材３４を用いて、ｎ対の支柱の内の１対と他の１対の上下方向における一端同士をそれぞれ連結部材３４により連結して、直立板２０が上下方向に連なるように組み合わせることができる（なお、ｎは２以上の自然数である）。
【００４３】
また、本実施形態では、直立板２０を上下方向に連なるように組み合わせた際に、各直立板２０の給水ユニット２５同士を、また排水ユニット２６同士を連結することも可能である。
【００４４】
具体的には、上方に位置する直立板２０の給水ユニット２５の給水主管２５１の下端に封止栓６を連結する代わりに、下方に位置する直立板２０の給水ユニット２５の給水主管２５１の上端に設けられている接続具５を連結することで、上下の各直立板２０の給水ユニット２５同士が連結される。また、各直立板２０の排水ユニット２６の排水主管２６３の上端に漏斗７を設け、その漏斗７の開口で、上方に位置する直立板２０の排水ユニット２６の排水主管２６３の下端開口からの排水を受けられるように構成することで、上下の各直立板２０の排水ユニット２６同士が連結される。
【００４５】
以上のように構成すれば、１つの水源ですべての直立板２０の給水ユニット２５に供水することができ、またすべての直立板２０の排水ユニット２６からの排水をまとめることができる。
【００４６】
（第４の実施形態：図８）
本考案に係る緑化壁構造体の第４の実施形態が、図８にて分解斜視図として示されている。第４の実施形態は、第１の実施形態に類似するが、パネルユニット２を複数（図示においては２つ）具えており、複数のパネルユニット２が左右方向つまり水平方向に連なるように連結されている。以下に詳しく説明する。
【００４７】
本実施形態では、３個の支柱３１と２個の直立板２０とを、各直立板２０がそれぞれ支柱３１の間に挟まれて架設されるように、３個の支柱３１の内の外側に位置する２個の対向する連結溝３１１における左側の一方に１つの直立板２０の左側の連結突起２１１を嵌め入れ、右側の一方に他の１つの直立板の右側の連結突起２１１を嵌め入れ、上記３個の支柱の内の間に位置する１個の左右両方の連結溝３１１に、上記１つの直立板２０の右側の連結突起２１１と上記他の１つの直立板２０の左側の連結突起２１１とをそれぞれ嵌め入れることによって、２個の直立板が左右方向に連なるように連結されている。
【００４８】
なお、本実施形態においては、図８に示されているように、２個の直立板２０および３個の支柱３１を用いてこれらを左右方向に組み合わせたが、数量はこれに限らず、例えば３個の直立板２０および４個の支柱３１を上述のように連結してもよく、要は、ｎ個の直立板２０、ｎ＋１個の支柱３１を用いて、ｎ＋１個の支柱３１のそれぞれの間に各直立板２０が架設されて、直立板２０が左右方向に連なるように組み合わせることができる（なお、ｎは２以上の自然数である）。
【００４９】
（第５の実施形態：図９）
本考案に係る緑化壁構造体の第５の実施形態が、図９にて正面図として示されている。第５の実施形態は、第１の実施形態に類似するが、排水ユニット２６の構成が異なっており、本実施形態の排水ユニットは、上下２列に設けられた各プランターユニット４に対応して上下２本設けられた樋状部材２６１と、２本の樋状部材２６１を繋ぐ排水連通パイプ２６６を有している。
【００５０】
（第６の実施形態：図１０、図１１）
本考案に係る緑化壁構造体の第６の実施形態が、図１０にて正面図として、図１１にて背面図として示されている。第６の実施形態は、第１の実施形態に類似するが、パネルユニット２において、給水ユニット２５が、直立板２０の背面２２２側に設けられている。以下に詳しく説明する。
【００５１】
給水ユニット２５は、給水主管２５１を４本有しており、これら４本の給水主管２５１が直立板２０の背面２２２において十字継手２５５により十字状に連結されると共に背面２２２に固定されている。また、給水支管２５０は、４本の給水主管２５１の内のいずれか１本に連結されていると共に給水主管２５１と同じく直立板２０の背面に設置されている少なくとも１本の分岐管２５３（図示においては８本）を有しており、更に各分岐管２５３には直立板２０に穿設されている孔を通って各プランターユニット４の植栽空間４１４に向かうように直立板２０の前面２２１に延伸している出水管２５４がそれぞれ連結されている。また４本の給水主管２５１のそれぞれ十字継手２５５に連結されてない側の一端は、図１１に示されているように、内１つに外部の給水源に接続するための接続具５を設けて、他の３つに例えば自動閉鎖型のワンタッチ継手を設けてもよい。
【００５２】
以上のように構成すれば、本考案に係る緑化壁構造体を正面から見た際に、給水ユニット２５が直立板２０の背面２２２側に隠れて見えないため美観が増す。
【００５３】
（第７の実施形態：図１２）
本考案に係る緑化壁構造体の第７の実施形態が、図１２にて分解背面図として示されている。第７の実施形態は、第６の実施形態におけるパネルユニット２を４つ有しており、田の字型に配置された４つのパネルユニット２の内、上下および左右に隣り合うパネルユニット２の給水主管２５１同士が継手８により連結されている。またパネルユニット２の数量はこれに限らずより多くを連結してもよい。
【００５４】
以上、本考案の好ましい実施形態を説明したが、本考案はこれに限定されるものではなく、その要旨を逸脱しない範囲で種々変更可能であることはいうまでもない。例えば、上述した第３の実施形態（パネルユニット２が上下方向に連なる）と第４の実施形態（パネルユニット２が左右方向に連なる）を組み合わせて、パネルユニット２が上下左右方向にそれぞれ２つ以上連なるように連結することも可能である。
【産業上の利用可能性】
【００５５】
本考案は、例えば建造物の壁面や道路の法面に立体状に植栽を施して緑化するための緑化壁構造体として有用である。
【符号の説明】
【００５６】
２    パネルユニット
２０    直立板
２１    連結部
２１１    連結突起
２２    掛置部
２２１    前面
２２２    背面
２２３    掛設孔
２２５    プランター掛止溝
２２６    樋掛止溝
２５    給水ユニット
２５０    給水支管
２５１    給水主管
２５２    係止部材
２５３    分岐管
２５４    出水管
２５５    十字継手
２６    排水ユニット
２６１    樋状部材
２６２    水受け空間
２６３    排水主管
２６５    排水導管
２６６    排水連通パイプ
３    支柱ユニット
３０    脚座
３１    支柱
３１１    連結溝
３２    連結板
３３    固定具
４    プランターユニット
４１    プランター本体部
４１２    掛止部
４１３    底壁
４１４    植栽空間
４１５    周壁
４１６    排水孔
４１７    一時滞水空間
４２    傾斜板
４２１    通水孔
５    接続具
６    封止栓
８    継手
【図１】
0003187481.tif 000003
【図２】
0003187481.tif 000004
【図３】
0003187481.tif 000005
【図４】
0003187481.tif 000006
【図５】
0003187481.tif 000007
【図６】
0003187481.tif 000008
【図７】
0003187481.tif 000009
【図８】
0003187481.tif 000010
【図９】
0003187481.tif 000011
【図１０】
0003187481.tif 000012
【図１１】
0003187481.tif 000013
【図１２】
0003187481.tif 000014